(57)【要約】【課題】正常な固体発光素子の劣化又は故障を抑制する。【解決手段】点灯装置２１０は、出力端子に接続された平滑コンデンサ２１３を有し、直列に接続された複数の発光素子２０２ａ及び２０２ｂに一定電流を供給する定電流回路２１２と、複数の発光素子２０２ａ及び２０２ｂの一つである発光素子２０２ａと並列に接続されており、発光素子２０２ａをバイパスするためのバイパス回路２１５ａと、発光素子２０２ａが開放状態であることを検出する検出回路２１４ａと、検出回路２１４ａにより発光素子２０２ａが開放状態であることが検出された場合に、放電期間の間、平滑コンデンサ２１３を放電した後、バイパス回路２１５ａにより、発光素子２０２ａをバイパスさせるバイパス制御部２１６とを備える。【選択図】図３
2015118809.tif 000002
【特許請求の範囲】
【請求項１】
出力端子に接続された平滑コンデンサを有し、直列に接続された複数の固体発光素子に一定電流を供給する定電流回路と、
前記複数の固体発光素子の一つである第１発光素子と並列に接続されており、前記第１発光素子をバイパスするためのバイパス回路と、
前記第１発光素子が開放状態であることを検出する検出部と、
前記検出部により前記第１発光素子が開放状態であることが検出された場合に、放電期間の間、前記平滑コンデンサを放電した後、前記バイパス回路により、前記第１発光素子をバイパスさせるバイパス制御部とを備える
点灯装置。
【請求項２】
前記放電期間において、前記平滑コンデンサの電圧が、前記複数の固体発光素子の順方向電圧の和より小さくなるまで、前記平滑コンデンサが放電される
請求項１記載の点灯装置。
【請求項３】
前記放電期間において、前記平滑コンデンサの電圧が、前記複数の固体発光素子のうちの前記第１発光素子以外の固体発光素子の順方向電圧の和より小さくなるまで、前記平滑コンデンサが放電される
請求項２記載の点灯装置。
【請求項４】
前記バイパス制御部は、前記放電期間において、前記定電流回路を停止させる、又は、前記定電流回路の出力を下げる
請求項１〜３のいずれか１項に記載の点灯装置。
【請求項５】
前記点灯装置は、さらに、
前記平滑コンデンサと並列に接続される放電回路を備え、
前記バイパス制御部は、前記放電期間において、前記放電回路をオンすることにより、前記平滑コンデンサを放電する
請求項１〜４のいずれか１項に記載の点灯装置。
【請求項６】
前記バイパス制御部は、
前記平滑コンデンサの電圧と基準電圧とを比較する比較器を有し、
前記平滑コンデンサの電圧が前記基準電圧より小さくなった場合に、前記放電期間を終了し、前記バイパス回路により、前記第１発光素子をバイパスさせる
請求項１〜５のいずれか１項に記載の点灯装置。
【請求項７】
前記バイパス制御部は、前記検出部により前記第１発光素子が開放状態であることが検出されてから、予め定められた放電時間が経過した場合に、前記放電期間を終了し、前記バイパス回路により、前記第１発光素子をバイパスさせる
請求項１〜５のいずれか１項に記載の点灯装置。
【請求項８】
前記放電時間は、前記平滑コンデンサが放電される放電経路の時定数より長い時間である
請求項７記載の点灯装置。
【請求項９】
前記定電流回路は、ＤＣ／ＤＣコンバータであり、
スイッチング素子と、
前記スイッチング素子がオンされているときに直流電源からの電流が流れるインダクタと、
前記インダクタから放出される電流を前記複数の固体発光素子に供給するためのダイオードと、
前記スイッチング素子のオンオフを制御する制御部とを備える
請求項１〜８のいずれか１項に記載の点灯装置。
【請求項１０】
請求項１〜９のいずれか１項に記載の点灯装置と、
前記点灯装置から電流が供給される前記複数の固体発光素子とを備える
照明装置。
【発明の詳細な説明】
【技術分野】
【０００１】
本発明は、点灯装置及び照明装置に関し、特に、直列に接続された複数の固体発光素子に電流を供給する点灯装置に関する。
【背景技術】
【０００２】
直列に接続された複数の固体発光素子（例えば、ＬＥＤ（Ｌｉｇｈｔ  Ｅｍｉｔｔｉｎｇ  Ｄｉｏｄｅ））を用いた照明装置が用いられている。このような照明装置において、一つの固体発光素子が故障により開放状態になった場合（以下、オープン故障とも呼ぶ）、他の正常な固体発光素子に電流が供給されなくなり、正常な固体発光素子も点灯しなくなるという問題ある。
【０００３】
これに対して、固体発光素子に並列に接続されたバイパス回路を設け、オープン故障時には、このバイパス回路をオンすることで、他の正常な固体発光素子に電流を供給する技術が知られている（例えば、特許文献１、特許文献２及び特許文献３を参照）。
【先行技術文献】
【特許文献】
【０００４】
【特許文献１】特開２００５−３１０９９９号公報
【特許文献２】特開２００８−２０４８６６号公報
【特許文献３】特開２００３−２０８９９３号公報
【発明の概要】
【発明が解決しようとする課題】
【０００５】
しかしながら、このような照明装置では、バイパス回路を作動させる際に、他の正常な固体発光素子に過大な電流が流れてしまうことがある。これにより、正常な固体発光素子が劣化又は故障する可能性があるという課題がある。
【０００６】
そこで、本発明は、正常な固体発光素子の劣化又は故障を抑制できる点灯装置及び照明装置を提供することを目的とする。
【課題を解決するための手段】
【０００７】
上記目的を達成するために、本発明の一態様に係る点灯装置は、出力端子に接続された平滑コンデンサを有し、直列に接続された複数の固体発光素子に一定電流を供給する定電流回路と、前記複数の固体発光素子の一つである第１発光素子と並列に接続されており、前記第１発光素子をバイパスするためのバイパス回路と、前記第１発光素子が開放状態であることを検出する検出部と、前記検出部により前記第１発光素子が開放状態であることが検出された場合に、放電期間の間、前記平滑コンデンサを放電した後、前記バイパス回路により、前記第１発光素子をバイパスさせるバイパス制御部とを備える。
【０００８】
例えば、前記放電期間において、前記平滑コンデンサの電圧が、前記複数の固体発光素子の順方向電圧の和より小さくなるまで、前記平滑コンデンサが放電されてもよい。
【０００９】
例えば、前記放電期間において、前記平滑コンデンサの電圧が、前記複数の固体発光素子のうちの前記第１発光素子以外の固体発光素子の順方向電圧の和より小さくなるまで、前記平滑コンデンサが放電されてもよい。
【００１０】
例えば、前記バイパス制御部は、前記放電期間において、前記定電流回路を停止させる、又は、前記定電流回路の出力を下げてもよい。
【００１１】
例えば、前記点灯装置は、さらに、前記平滑コンデンサと並列に接続される放電回路を備え、前記バイパス制御部は、前記放電期間において、前記放電回路をオンすることにより、前記平滑コンデンサを放電してもよい。
【００１２】
例えば、前記バイパス制御部は、前記平滑コンデンサの電圧と基準電圧とを比較する比較器を有し、前記平滑コンデンサの電圧が前記基準電圧より小さくなった場合に、前記放電期間を終了し、前記バイパス回路により、前記第１発光素子をバイパスさせてもよい。
【００１３】
例えば、前記バイパス制御部は、前記検出部により前記第１発光素子が開放状態であることが検出されてから、予め定められた放電時間が経過した場合に、前記放電期間を終了し、前記バイパス回路により、前記第１発光素子をバイパスさせてもよい。
【００１４】
例えば、前記放電時間は、前記平滑コンデンサが放電される放電経路の時定数より長い時間であってもよい。
【００１５】
例えば、前記定電流回路は、ＤＣ／ＤＣコンバータであり、スイッチング素子と、前記スイッチング素子がオンされているときに直流電源からの電流が流れるインダクタと、前記インダクタから放出される電流を前記複数の固体発光素子に供給するためのダイオードと、前記スイッチング素子のオンオフを制御する制御部とを備えてもよい。
【００１６】
また、本発明の一態様に係る照明装置は、前記点灯装置と、前記点灯装置から電流が供給される前記複数の固体発光素子とを備える。
【発明の効果】
【００１７】
本発明は、正常な固体発光素子の劣化又は故障を抑制できる点灯装置及び照明装置を提供できる。
【図面の簡単な説明】
【００１８】
【図１Ａ】バイパス回路を有する照明装置の構成例を示す図である。
【図１Ｂ】バイパス回路を有する照明装置の動作例を示す図である。
【図２】パイパス回路が動作する際の電圧及び電流を示すタイミングチャートである。
【図３】実施の形態１に係る照明装置の構成例を示すブロック図である。
【図４】実施の形態１に係る点灯装置の構成例を示す図である。
【図５】実施の形態１に係るパイパス制御部の構成例を示す図である。
【図６】実施の形態１に係る照明装置のタイミングチャートである。
【図７】実施の形態２に係る点灯装置の構成例を示す図である。
【図８】実施の形態２に係るパイパス制御部の構成例を示す図である。
【図９】実施の形態２に係る照明装置のタイミングチャートである。
【図１０】実施の形態２の変形例に係る点灯装置の構成例を示す図である。
【図１１】実施の形態２の変形例に係るパイパス制御部の構成例を示す図である。
【図１２】実施の形態３に係る点灯装置の構成例を示す図である。
【図１３】実施の形態３に係るパイパス制御部の構成例を示す図である。
【図１４】実施の形態３に係る照明装置のタイミングチャートである。
【図１５Ａ】実施の形態３に係るタイマーの構成例を示す図である。
【図１５Ｂ】実施の形態３に係るタイマーのタイミングチャートである。
【図１６】実施の形態４に係る点灯装置の構成例を示す図である。
【図１７Ａ】実施の形態４に係るＭＣＵによる処理のフローチャートである。
【図１７Ｂ】実施の形態４の変形例に係るＭＣＵによる処理のフローチャートである。
【図１８】実施の形態の変形例に係る発光素子の構成例を示す図である。
【図１９】実施の形態に定電流回路の構成例を示す図である。
【図２０】実施の形態に制御部の構成例を示す図である。
【図２１】実施の形態に定電流回路の構成例を示す図である。
【図２２】実施の形態に定電流回路の構成例を示す図である。
【図２３】実施の形態に定電流回路の構成例を示す図である。
【図２４Ａ】実施の形態に照明装置の外観を示す模式図である。
【図２４Ｂ】実施の形態に照明装置の外観を示す模式図である。
【図２４Ｃ】実施の形態に照明装置の外観を示す模式図である。
【発明を実施するための形態】
【００１９】
（本発明の基礎となった知見）
背景技術で説明したように、バイパス回路を作動させる際に、他の正常な固体発光素子に過大な電流が流れてしまうことがある。これにより、正常な固体発光素子が劣化又は故障する可能性があるという課題がある。以下、この課題について詳細に説明する。
【００２０】
図１Ａは、バイパス回路を有する照明装置の構成を示す図である。図１Ａに示す照明装置は、直列に接続された発光素子１０３ａ及び１０３ｂと、発光素子１０３ａと並列に接続されたバイパス回路１０４ａと、発光素子１０３ｂと並列に接続されたバイパス回路１０４ｂと、発光素子１０３ａ及び１０３ｂに定電流を供給する定電流回路１０１と、定電流回路１０１の出力端子に接続された平滑コンデンサ１０２とを備える。発光素子１０３ａ及び１０３ｂは、例えば、ＬＥＤである。
【００２１】
この照明装置では、例えば、発光素子１０３ｂがオープン故障した場合には、図１Ｂに示すように、バイパス回路１０４ｂがオンする。これにより、発光素子１０３ａに電流が供給される。このように、当該照明装置は、一つの発光素子にオープン故障が発生した場合に、全ての発光素子が消灯してしまうことを防止できる。
【００２２】
また、当該照明装置では、例えば、定電流回路１０１の出力電圧ＶＣを監視し、電圧ＶＣが予め定められた電圧より高くなった場合に、発光素子１０３ａ又は１０３ｂがオープン故障していることを検出する。
【００２３】
しかしながら、このような照明装置において、以下の課題があることを本発明者は見出した。
【００２４】
図２は、当該照明装置において、オープン故障が発生した場合の、電圧ＶＣと、正常な発光素子１０３ａに流れる電流Ｉとの時間変化を示す図である。
【００２５】
オープン故障が発生する時刻ｔ１より前の状態において、電圧ＶＣは、２つの発光素子１０３ａ及び１０３ｂの順方向電圧Ｖｆの和（２×Ｖｆ）に相当する。時刻ｔ１においてオープン故障が発生すると、正常な発光素子１０３ａに電流が流れなくなるとともに、電圧ＶＣが上昇する。時刻ｔ２において、電圧ＶＣが予め定められた電圧（＞２×Ｖｆ）より高くなる。これにより、バイパス回路１０４ｂがオンする。
【００２６】
ここで、バイパス回路１０４ｂがオンした場合、電圧ＶＣは、正常な発光素子１０３ａの順方向電圧Ｖｆに相当する電圧まで低下する。しかしながら、バイパス回路１０４ｂがオンするタイミングにおいて、電圧ＶＣは、２×Ｖｆよりも高くなっており、この電圧に対応する電荷が平滑コンデンサ１０２に蓄積されている。よって、バイパス回路１０４ｂがオンすると同時に、平滑コンデンサ１０２に蓄積されている、この電圧（＞２×Ｖｆ）と順方向電圧Ｖｆとの差分電圧（＞Ｖｆ）に対応する電荷（言い換えると、オープン故障した発光素子１０３ｂの順方向電圧Ｖｆに対応する電荷）が、一気に正常な発光素子１０３ａに流れる（時刻ｔ２〜ｔ３）。
【００２７】
このように、正常な発光素子１０３ａに過剰な電流が流れることにより、正常な発光素子１０３ａの劣化又は破壊が発生するという課題があることを本発明者は見出した。また、このように過剰な電流が発光素子１０３ａに流れた場合、バイパス回路１０４ａが誤ってオンしてしまう可能性もある。
【００２８】
なお、バイパス回路１０４ｂが、発光素子１０３ｂの順方向電圧と同等の順方向電圧を有する素子を備えることで、この問題を低減することができる。しかしながら、この方法では、バイパス回路１０４ｂにおける電力損失が大きくなるという別の問題が発生する。
【００２９】
以下、実施の形態について、図面を参照しながら具体的に説明する。
【００３０】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３１】
(実施の形態１)
本実施の形態に係る照明装置は、オープン故障が発生した場合、平滑コンデンサに蓄積された電荷を放電した後に、バイパス回路をオンする。具体的には、当が照明装置は、オープン故障が発生した後の所定の期間において定電流回路を停止させることで、平滑コンデンサに蓄積された電荷を放電する。これにより、バイパス回路がオンされた際に、正常な発光素子に過剰な電流が流れることを抑制できる。
【００３２】
まず、本実施の形態に係る照明装置２００の構成を説明する。
【００３３】
図３は、本実施の形態に係る照明装置２００の構成を示すブロック図である。図３に示すように、照明装置２００は、発光素子２０２ａ及び２０２ｂと、点灯装置２１０とを備える。
【００３４】
発光素子２０２ａ及び２０２ｂは、互いに直列に接続された固体発光素子であり、例えば、ＬＥＤである。
【００３５】
点灯装置２１０は、商用電源２０１からの電力を用いて発光素子２０２ａ及び２０２ｂを点灯する。この点灯装置２１０は、直流電源２１１と、定電流回路２１２と、平滑コンデンサ２１３と、検出回路２１４ａ及び２１４ｂと、バイパス回路２１５ａ及び２１５ｂと、バイパス制御部２１６とを備える。
【００３６】
直流電源２１１は、商用電源２０１から供給される交流電力を直流電力に変換する回路であり、例えば、ＡＣ／ＤＣコンバータである。
【００３７】
定電流回路２１２は、直流電源２１１から供給される直流電力を用いて、一定電流を生成する回路であり、例えば、ＤＣ／ＤＣコンバータである。定電流回路２１２で生成された一定電流は、発光素子２０２ａ及び２０２ｂに供給される。
【００３８】
平滑コンデンサ２１３は、定電流回路２１２の出力端子に接続されており、定電流回路２１２により生成された一定電流を平滑化するために用いられる容量素子である。なお、図２では、平滑コンデンサ２１３は、定電流回路２１２の外に設けられているが、定電流回路２１２に含まれてもよい。
【００３９】
検出回路２１４ａは、発光素子２０２ａが開放状態であることを検出する回路である。つまり、検出回路２１４ａは、発光素子２０２ａがオープン故障していることを検出する。同様に、検出回路２１４ｂは、発光素子２０２ｂが開放状態であることを検出する回路である。つまり、検出回路２１４ｂは、発光素子２０２ｂがオープン故障していることを検出する。
【００４０】
バイパス回路２１５ａは、発光素子２０２ａと並列に接続されており、発光素子２０２ａをバイパスするための回路であり、例えば、発光素子２０２ａに並列に接続されたスイッチング素子を含む。このバイパス回路２１５ａがオンすることにより、発光素子２０２ａの両端が短絡される。
【００４１】
同様に、バイパス回路２１５ｂは、発光素子２０２ｂと並列に接続されており、発光素子２０２ｂをバイパスするための回路であり、例えば、発光素子２０２ｂに並列に接続されたスイッチング素子を含む。このバイパス回路２１５ｂがオンすることにより、発光素子２０２ｂの両端が短絡される。
【００４２】
バイパス制御部２１６は、検出回路２１４ａ及び２１４ｂの検出結果に応じて、バイパス回路２１５ａ及び２１５ｂ、並びに定電流回路２１２を制御する。具体的には、バイパス制御部２１６は、検出回路２１４ａにより発光素子２０２ａのオープン故障が検出された場合に、バイパス回路２１５ａをオンする。また、バイパス制御部２１６は、検出回路２１４ｂにより発光素子２０２ｂのオープン故障が検出された場合に、バイパス回路２１５ｂをオンする。また、バイパス制御部２１６は、オープン故障が検出された場合、所定の放電期間、定電流回路２１２を停止し、その後、バイパス回路２１５ａ又は２１５ｂをオンする。これにより、放電期間において、平滑コンデンサ２１３に蓄積されている電荷が放電される。
【００４３】
図４は、検出回路２１４ａ及び２１４ｂ、並びに、バイパス回路２１５ａ及び２１５ｂの回路例を示す図である。
【００４４】
検出回路２１４ａは、発光素子２０２ａの両端の電圧差Ｖ１が予め定められた電圧Ｖｆ＿ｍａｘより大きくなったことを検出し、検出結果を示す故障検出信号ＬＥＤ１を出力する。ここで、電圧Ｖｆ＿ｍａｘは、例えば、発光素子２０２ａ及び２０２ｂの順方向電圧の最大値に相当する。
【００４５】
この検出回路２１４ａは、分圧抵抗Ｒ１ａ及びＲ１ｂと、ツェナーダイオードＤ１と、フォトカプラＰＣ１とを含む。分圧抵抗Ｒ１ａ及びＲ１ｂは、電圧Ｖ１が分圧された電圧Ｖ１ａを生成する。この電圧Ｖ１ａが、電圧Ｖｆ＿ｍａｘに対応する電圧Ｖｆ＿ｍａｘ＿ａより大きくなった場合に、ツェナーダイオードＤ１がオンする。これにより、フォトカプラＰＣ１に電流が流れ、故障検出信号ＬＥＤ１がローレベルに変化する。
【００４６】
同様に、検出回路２１４ｂは、発光素子２０２ｂの両端の電圧差Ｖ２が予め定められた電圧Ｖｆ＿ｍａｘより大きくなったことを検出し、検出結果を示す故障検出信号ＬＥＤ２を出力する。この検出回路２１４ｂは、分圧抵抗Ｒ２ａ及びＲ２ｂと、ツェナーダイオードＤ２と、フォトカプラＰＣ２とを含む。分圧抵抗Ｒ２ａ及びＲ２ｂは、電圧Ｖ２が分圧された電圧Ｖ２ａを生成する。この電圧Ｖ２ａが、電圧Ｖｆ＿ｍａｘに対応する電圧Ｖｆ＿ｍａｘ＿ａより大きくなった場合に、ツェナーダイオードＤ２がオンする。これにより、フォトカプラＰＣ２に電流が流れ、故障検出信号ＬＥＤ２がローレベルに変化する。
【００４７】
バイパス回路２１５ａは、フォトＭＯＳリレーＰＭＲ１を含む。フォトＭＯＳリレーＰＭＲ１は、バイパス制御信号Ｂ１がハイレベルになった場合にオンする。同様にバイパス回路２１５ｂは、フォトＭＯＳリレーＰＭＲ２を含む。フォトＭＯＳリレーＰＭＲ２は、バイパス制御信号Ｂ２がハイレベルになった場合にオンする。
【００４８】
図５は、バイパス制御部２１６の構成例を示す図である。図５に示すように、バイパス制御部２１６は、フリップフロップＦＦ０、ＦＦ１Ａ、ＦＦ１Ｂ、ＦＦ２Ａ及びＦＦ２Ｂと、比較器ＣＯＭ０とを備える。
【００４９】
比較器ＣＯＭ０は、電圧ＶＣが分圧されることにより得られた電圧ＶＣａと、基準電圧Ｖｆ＿ｍｉｎに対応する基準電圧Ｖｆ＿ｍｉｎ＿ａとを比較する。
【００５０】
フリップフロップＦＦ０は、故障検出信号ＬＥＤ１及びＬＥＤ２の一方がローレベルになった場合に、ローレベルの停止制御信号ＤＣ／ＤＣ＿ｅｎａｂｌｅを出力する。また、フリップフロップＦＦ０は、比較器ＣＯＭ０の出力信号に応じて、電圧ＶＣａが基準電圧Ｖｆ＿ｍｉｎ＿ａより低くなった場合に、ハイレベルの停止制御信号ＤＣ／ＤＣ＿ｅｎａｂｌｅを出力する。
【００５１】
フリップフロップＦＦ１Ｂは、故障検出信号ＬＥＤ１がローレベルになった後、比較器ＣＯＭ０の出力信号に応じて、電圧ＶＣａが基準電圧Ｖｆ＿ｍｉｎ＿ａより低くなった場合に、ハイレベルのバイパス制御信号Ｂ１を出力する。フリップフロップＦＦ２Ｂは、故障検出信号ＬＥＤ２がローレベルになった後、比較器ＣＯＭ０の出力信号に応じて、電圧ＶＣａが基準電圧Ｖｆ＿ｍｉｎ＿ａより低くなった場合に、ハイレベルのバイパス制御信号Ｂ２を出力する。
【００５２】
図６は、発光素子２０２ａがオープン故障した場合のタイミングチャートである。以下、発光素子２０２ａがオープン故障した場合の動作を説明する。
【００５３】
オープン故障が発生する時刻ｔ１より前の状態において、発光素子２０２ａの両端の電圧Ｖ１は、発光素子２０２ａの順方向電圧Ｖｆに相当する。また、電圧ＶＣ（＝Ｖ１＋Ｖ２）は、発光素子２０２ａ及び２０２ｂの順方向電圧Ｖｆの和（２×Ｖｆ）に相当する。
【００５４】
次に、時刻ｔ１において、発光素子２０２ａがオープン故障する。この時、定電流回路２１２からの電流供給が継続されているため電圧ＶＣが上昇する。なお、正常な発光素子２０２ｂの両端の電圧Ｖ２は、順方向電圧Ｖｆまでしか上昇しないので、電圧Ｖ２はＶｆのまま維持される。よって、電圧Ｖ１が電圧ＶＣと同様に上昇する。電圧Ｖ１の上昇に伴い、電圧Ｖ１が分圧されることにより得られる電圧Ｖ１ａも上昇する。
【００５５】
時刻ｔ２において、電圧Ｖ１ａが電圧Ｖｆ＿ｍａｘ＿ａに達する（電圧Ｖ１が電圧Ｖｆ＿ｍａｘに達する）と、ツェナーダイオードＤ１がオンする。これにより、フォトカプラＰＣ１に電流が流れ、フォトカプラＰＣ１がオン状態になる。その結果、故障検出信号ＬＥＤ１がローレベルになり、発光素子２０２ａのオープン故障が検出される。
【００５６】
オープン故障が検出されると、フリップフロップＦＦ０のセット端子にハイレベルが入力される。これにより、停止制御信号ＤＣ／ＤＣ＿ｅｎａｂｌｅがローレベルになる。停止制御信号ＤＣ／ＤＣ＿ｅｎａｂｌｅがローレベルになると、定電流回路２１２は動作を停止する。
【００５７】
定電流回路２１２が停止すると、平滑コンデンサ２１３に蓄積されている電荷が、例えば、抵抗Ｒ２ａ、Ｒ２ｂ、Ｒ１ａ及びＲ１ｂを介して放電される。これにより、電圧ＶＣが低下する。
【００５８】
時刻ｔ３において、電圧ＶＣが電圧Ｖｆ＿ｍｉｎよりも低くなると、停止制御信号ＤＣ／ＤＣ＿ｅｎａｂｌｅがハイレベルになる。具体的には、電圧ＶＣが低下すると、比較器ＣＯＭ０に入力される電圧ＶＣａも低下する。そして、電圧ＶＣａが、電圧Ｖｆ＿ｍｉｎに対応する電圧Ｖｆ＿ｍｉｎ＿ａよりも低くなると、比較器ＣＯＭ０の出力信号がハイレベルになる。これにより、停止制御信号ＤＣ／ＤＣ＿ｅｎａｂｌｅがハイレベルになる。
【００５９】
停止制御信号ＤＣ／ＤＣ＿ｅｎａｂｌｅがハイレベルになることで、定電流回路２１２が動作を開始する。
【００６０】
また、バイパス制御信号Ｂ１がハイレベルになることにより、バイパス回路２１５ａがオンする。具体的には、フリップフロップＦＦ１Ｂのセット端子にハイレベルが入力される。これにより、バイパス制御信号Ｂ１がハイレベルになることで、フォトＭＯＳリレーＰＭＲ１がオンする。
【００６１】
定電流回路２１２の動作が開始すると、電圧ＶＣが上昇する。時刻ｔ４において、電圧ＶＣは、正常な発光素子２０２ｂの順方向電圧Ｖｆに相当する電圧に達し、正常な発光素子２０２ｂに電流が流れる。つまり、正常な発光素子２０２ｂが点灯する。
【００６２】
このように、発光素子２０２ａがオープン故障した場合にバイパス回路２１５ａがオンすることにより、定電流回路２１２から供給される電流は、バイパス回路２１５ａを経由して、正常な発光素子２０２ｂに流れる。これにより、一つの発光素子がオープン故障した場合でも、他の正常な発光素子に電流を供給することができる。
【００６３】
さらに、本実施の形態では、バイパス回路２１５ａをオンする際に、平滑コンデンサ２１３の電荷を放電する。これにより、過剰な電流が、バイパス回路２１５ａ及び発光素子２０２ｂに流れることを抑制できる。よって、発光素子２０２ｂの劣化又は故障、並びに、バイパス回路２１５ｂが誤動作することを抑制できる。
【００６４】
なお、ここでは、発光素子２０２ａがオープン故障した場合の動作を説明したが、発光素子２０２ｂがオープン故障した場合の動作も同様である。
【００６５】
また、上記説明では、直列に接続された２つの発光素子が用いられる場合を説明したが、直列に接続された３以上の発光素子が用いられてもよい。この場合には、上述した検出回路及びバイパス回路が各発光素子に対して設けられる。
【００６６】
また、ここでは、複数の発光素子の全てに対してそれぞれ検出回路及びバイパス回路が設けられる例を述べたが、複数の発光素子の少なくとも一つに対して検出回路及びバイパス回路が設けられてもよい。
【００６７】
また、上述したように、本実施の形態に係る照明装置２００では、電圧ＶＣが電圧Ｖｆ＿ｍｉｎより低くなった場合に、定電流回路２１２の動作を再開させている。この電圧Ｖｆ＿ｍｉｎは、例えば、図６に示すように、正常な発光素子の順方向電圧の和（図６の例では発光素子２０２ｂの順方向電圧Ｖｆ）より低い。なお、この電圧Ｖｆ＿ｍｉｎは、正常な発光素子の順方向電圧の和より高くてもよい。つまり、所定の放電期間を設けることで、放電期間を設けない場合に比べ、バイパス回路がオンされる際の電圧ＶＣを低くできる。これにより、バイパス回路がオンされる際に、正常な発光素子に流れる電流を低減できるので、正常な発光素子の劣化又は故障を低減できるという効果を実現できる。
【００６８】
なお、放電期間を長くすることにより（電圧Ｖｆ＿ｍｉｎを低く設定することにより）、この効果をより高くすることができる。よって、例えば、電圧Ｖｆ＿ｍｉｎは、オープン故障が発生していない通常の状態における電圧ＶＣより低いことが好ましい。ここで、通常の状態における電圧ＶＣとは、オープン故障が発生していない状態における複数の発光素子の順方向電圧の和（図６の例では、２×Ｖｆ）である。また、図６に示すように、電圧Ｖｆ＿ｍｉｎは、オープン故障した発光素子以外の正常な発光素子の順方向電圧の和であることがより好ましい。
【００６９】
また、上記説明では、バイパス回路をオンする前の放電期間において、定電流回路２１２が停止したが、平滑コンデンサ２１３が放電するレベルまで定電流回路２１２の出力を通常より低くしてもよい。この場合でも、放電期間において電圧ＶＣを下げることができる。
【００７０】
以上のように、本実施の形態に係る点灯装置２１０は、出力端子に接続された平滑コンデンサ２１３を有し、直列に接続された複数の発光素子２０２ａ及び２０２ｂに一定電流を供給する定電流回路２１２と、複数の発光素子２０２ａ及び２０２ｂの一つである第１発光素子２０２ａ（又は２０２ｂ）と並列に接続されており、第１発光素子２０２ａをバイパスするためのバイパス回路２１５ａ（又は２１５ｂ）と、第１発光素子２０２ａ（又は２０２ｂ）が開放状態であることを検出する検出部（検出回路２１４ａ（又は２１４ｂ））と、検出回路２１４ａにより第１発光素子２０２ａが開放状態であることが検出された場合に、放電期間の間、平滑コンデンサ２１３を放電した後、バイパス回路２１５ａにより、第１発光素子２０２ａをバイパスさせるバイパス制御部２１６とを備える。
【００７１】
これにより、点灯装置２１０は、発光素子２０２ａにオープン故障が発生した場合、平滑コンデンサ２１３に蓄積された電荷を放電した後に、バイパス回路２１５ａをオンする。これにより、バイパス回路２１５ａがオンされた際に、正常な発光素子に過剰な電流が流れることを抑制できる。
【００７２】
具体的には、バイパス制御部２１６は、放電期間において、定電流回路２１２を停止させる、又は、定電流回路２１２の出力を下げてもよい。
【００７３】
これにより、点灯装置２１０は、放電期間において平滑コンデンサ２１３を放電できる。
【００７４】
また、放電期間において、平滑コンデンサ２１３の電圧が、複数の発光素子２０２ａ及び２０２ｂの順方向電圧の和より小さくなるまで、平滑コンデンサ２１３が放電されてもよい。また、放電期間において、平滑コンデンサ２１３の電圧が、複数の発光素子２０２ａ及び２０２ｂのうちの第１発光素子２０２ａ以外の発光素子２０２ｂの順方向電圧の和より小さくなるまで、平滑コンデンサ２１３が放電されてもよい。
【００７５】
これにより、点灯装置２１０は、平滑コンデンサ２１３をより放電できるので、バイパス回路２１５ａがオンする際に正常な発光素子２０２ｂに流れる電流をより抑制できる。
【００７６】
また、バイパス制御部２１６は、平滑コンデンサ２１３の電圧ＶＣと基準電圧Ｖｆ＿ｍｉｎとを比較する比較器である比較器ＣＯＭ０を有し、平滑コンデンサ２１３の電圧ＶＣが基準電圧Ｖｆ＿ｍｉｎより小さくなった場合に、放電期間を終了し、バイパス回路２１５ａにより、第１発光素子２０２ａをバイパスさせてもよい。
【００７７】
これにより、点灯装置２１０は、電圧ＶＣが予め定められた電圧まで低下した後にバイパス回路２１５ａをオンできる。
【００７８】
また、本実施の形態に係る照明装置２００は、上記点灯装置２１０と、点灯装置２１０から電流が供給される複数の発光素子２０２ａ及び２０２ｂとを備えてもよい。
【００７９】
（実施の形態２）
本実施の形態では、上記実施の形態１の変形例について説明する。本実施の形態に係る照明装置２００は、上記実施の形態１の構成に加え、さらに、放電期間において平滑コンデンサ２１３を放電するための放電回路を有する。
【００８０】
なお、以下では、実施の形態１との相違点を主に説明し、重複する説明は省略する。
【００８１】
図７は、本実施の形態に係る照明装置２００の構成を示す図である。図７に示す照明装置２００は、図３に示す構成に加え、さらに、放電回路２２０を備える。また、バイパス制御部２１６Ａの機能に、バイパス制御部２１６から機能が追加されている。
【００８２】
放電回路２２０は、平滑コンデンサ２１３と並列に接続されている回路であり、平滑コンデンサ２１３と並列に接続されているスイッチング素子を含む。例えば、放電回路２２０は、フォトＭＯＳリレーＰＭＲ０と、抵抗Ｒ０とを含む。フォトＭＯＳリレーＰＭＲ０がオンすることにより、抵抗Ｒ０及びフォトＭＯＳリレーＰＭＲ０を経由して、平滑コンデンサ２１３に蓄積されている電荷が放電される。
【００８３】
バイパス制御部２１６Ａは、バイパス制御部２１６の機能に加え、放電期間において放電回路２２０をオンする機能を有する。図８は、バイパス制御部２１６Ａの構成例を示す図である。図８に示すように、バイパス制御部２１６Ａは、バイパス制御部２１６の機能に加え、停止制御信号ＤＣ／ＤＣ＿ｅｎａｂｌｅの反転信号である放電制御信号ＤＩＳＣＨＡＲＧＥを出力する。
【００８４】
図９は、本実施の形態に係る照明装置２００において、発光素子２０２ａがオープン故障した場合のタイミングチャートである。
【００８５】
図９に示すように、時刻ｔ２において、電圧Ｖ１が電圧Ｖｆ＿ｍａｘに達すると、放電制御信号ＤＩＳＣＨＡＲＧＥがハイレベルになる。これにより、フォトＭＯＳリレーＰＭＲ０がオンすることにより、抵抗Ｒ０及びフォトＭＯＳリレーＰＭＲ０を介して、平滑コンデンサ２１３に蓄積されている電荷が放電される。
【００８６】
このような放電回路２２０を用いることにより、実施の形態１と比べ放電期間（ｔ２〜ｔ３）を短くできる。
【００８７】
なお、ここでは、放電期間において、定電流回路２１２が停止し、かつ、放電回路２２０をオンする例を述べたが、定電流回路２１２が停止しなくてもよい。図１０は、この場合の照明装置２００の構成を示す図である。図１０に示す構成は、図７に示す構成に対して、バイパス制御部２１６Ｂが停止制御信号ＤＣ／ＤＣ＿ｅｎａｂｌｅを出力しない点のみが異なる。図１１は、バイパス制御部２１６Ｂの構成例を示す図である。
【００８８】
このように、定電流回路２１２が停止しない場合であっても、放電回路２２０を介して平滑コンデンサ２１３が放電されるので、上記と同様の効果を実現できる。
【００８９】
以上のように、点灯装置２１０は、さらに、平滑コンデンサ２１３と並列に接続される放電回路２２０を備え、バイパス制御部２１６Ａ又は２１６Ｂは、放電期間において、放電回路２２０をオンすることにより、平滑コンデンサ２１３を放電してもよい。
【００９０】
これにより、放電期間において平滑コンデンサ２１３を放電できる。
【００９１】
（実施の形態３）
上記実施の形態では、電圧ＶＣが予め定められた電圧Ｖｆ＿ｍｉｎより低くなった場合に、放電期間が終了する例を述べた。本実施の形態では、放電期間が開始してから予め定められた時間が経過した後に放電期間が終了する。
【００９２】
図１２は、本実施の形態に係る照明装置２００の構成を示す図である。図１２に示す照明装置２００は、図７に示す構成に対して、バイパス制御部２１６Ｃの構成が、バイパス制御部２１６Ａと異なる。なお、ここでは、図７に示す構成と同様に、放電回路２２０が用いられ、かつ、放電期間において定電流回路２１２が停止する構成を例に説明するが、これらのいずれか一方のみが用いられる場合にも同様の構成を適用できる。
【００９３】
バイパス制御部２１６Ｃは、放電期間が開始してから予め定められた時間が経過した後に放電期間が終了する。図１３は、バイパス制御部２１６Ｃの構成例を示す図である。図１３に示すようにバイパス制御部２１６Ｃは、タイマー２３０と、フリップフロップＦＦ３Ａ及びＦＦ３Ｂとを備える。
【００９４】
タイマー２３０は、故障検出信号ＬＥＤ１又はＬＥＤ２の一方がローレベルになってから所定の期間、ハイレベルの放電制御信号ＤＩＳＣＨＡＲＧＥ、及び、ローレベルの停止制御信号ＤＣ／ＤＣ＿ｅｎａｂｌｅを出力し、所定の期間が終了した後に、ローレベルの放電制御信号ＤＩＳＣＨＡＲＧＥ、及び、ハイレベルの停止制御信号ＤＣ／ＤＣ＿ｅｎａｂｌｅを出力する。
【００９５】
フリップフロップＦＦ３Ａは、故障検出信号ＬＥＤ１がローレベルになった後、かつ、停止制御信号ＤＣ／ＤＣ＿ｅｎａｂｌｅがハイレベルの場合に、ハイレベルのバイパス制御信号Ｂ１を出力する。フリップフロップＦＦ３Ｂは、故障検出信号ＬＥＤ２がローレベルになった後、かつ、停止制御信号ＤＣ／ＤＣ＿ｅｎａｂｌｅがハイレベルの場合に、ハイレベルのバイパス制御信号Ｂ２を出力する。
【００９６】
図１４は、本実施の形態に係る照明装置２００において、発光素子２０２ａがオープン故障した場合のタイミングチャートである。図１４に示すように、時刻ｔ２において、電圧Ｖ１が電圧Ｖｆ＿ｍａｘに達すると、タイマー２３０の入力信号Ｔｉｎがハイレベルになる。これにより、タイマー２３０は、予め定められた時間、ハイレベルの出力信号Ｔｏｕｔを出力する。これにより、所定期間、放電制御信号ＤＩＳＣＨＡＲＧＥがハイレベルになるとともに、停止制御信号ＤＣ／ＤＣ＿ｅｎａｂｌｅがローレベルになる。これにより、放電期間において、定電流回路２１２が停止するとともに、放電回路２２０がオンする。
【００９７】
図１５Ａは、タイマー２３０の構成例を示す図である。また、図１５Ｂは、タイマー２３０の入力信号Ｔｉｎと出力信号Ｔｏｕｔとの関係を示すタイミングチャートである。図１５Ａ及び図１５Ｂに示すように、入力信号Ｔｉｎがハイレベルになると、出力信号Ｔｏｕｔもハイレベルになり、予め定められた時間が経過した後に、出力信号Ｔｏｕｔがローレベルになる。
【００９８】
ここで、出力信号Ｔｏｕｔがハイレベルになってからローベルになるまでの放電時間は、上述した放電期間に対応する。よって、放電期間の終了時に、電圧ＶＣが電圧Ｖｆ＿ｍｉｎ（例えば、正常な発光素子の順方向電圧の和）よりも低くなるように、放電時間が十分に長く設定されることが好ましい。例えば、放電期間において平滑コンデンサ２１３の電荷が放電される放電経路（この例では、放電回路２２０）の時定数よりも、放電時間は長く設定される。なお、上述したように、電圧ＶＣは、放電期間の終了時に正常な発光素子の順方向電圧の和よりも低くならなくてもよい。電圧ＶＣが十分に下がりきらない場合であっても、バイパス回路がオンする際の電圧ＶＣを下げることができるので、放電期間を設けない場合に比べ、正常な発光素子等に過剰な電流が流れることを抑制できる。
【００９９】
以上のように、バイパス制御部２１６Ｃは、検出回路２１４ａにより第１発光素子２０２ａが開放状態であることが検出されてから、予め定められた放電時間が経過した場合に、放電期間を終了し、バイパス回路２１５ａにより、第１発光素子２０２ａをバイパスさせてもよい。
【０１００】
これにより、任意の放電期間を設定することができる。
【０１０１】
また、放電時間は、平滑コンデンサ２１３が放電される放電経路の時定数より長い時間であってもよい。
【０１０２】
これにより、バイパス回路２１５ａをオンするまでに、平滑コンデンサ２１３の電荷を十分に放電できる。
【０１０３】
（実施の形態４）
本実施の形態では、上述した実施の形態と同様の機能を、ＭＣＵ（マイクロコントローラ）を用いて実現する場合について説明する。
【０１０４】
図１６は、本実施の形態に係る照明装置２００の構成を示す図である。図１２に示す照明装置２００は、図７に示す構成に対して、バイパス制御部２１６Ａ並びに検出回路２１４ａ及び２１４ｂの代わりにＭＣＵ２４０及び分圧抵抗群２４１を備える。なお、ここでは、図７に示す構成と同様に、放電回路２２０が用いられ、かつ、放電期間において定電流回路２１２が停止する構成を例に説明するが、これらのいずれか一方のみが用いられる場合にも同様の構成を適用できる。
【０１０５】
ＭＣＵ２４０及び分圧抵抗群２４１により、上述したバイパス制御部２１６Ａ並びに検出回路２１４ａ及び２１４ｂと同様の機能が実現される。
【０１０６】
分圧抵抗群２４１は、図１６に示す電圧Ｖ０、電圧Ｖ１及び電圧Ｖ２をそれぞれ分圧した電圧Ｖ０ａ、電圧Ｖ１ａ及び電圧Ｖ２ａを生成する。
【０１０７】
ＭＣＵ２４０は、マイクロコントローラであり、バイパス制御部２１６Ａの機能に加え、電圧Ｖ０ａ、電圧Ｖ１ａ及び電圧Ｖ２ａを用いて、発光素子２０２ａ及び２０２ｂの各々がオープン故障であることを検出する。
【０１０８】
以下、マイクロコントローラの動作を詳細に説明する。図１７Ａは、ＭＣＵ２４０の動作を示すフローチャートである。
【０１０９】
ＭＣＵ２４０は、Ａ／Ｄコンバータを備え、当該Ａ／Ｄコンバータは、電圧Ｖ０ａ、電圧Ｖ１ａ及び電圧Ｖ２ａをデジタル信号に変換する。ＭＣＵ２４０は、Ｖ２ａ−Ｖ１ａ及びＶ１ａ−Ｖ０ａを算出し、算出結果の各々が、Ｖｆ＿ｍａｘ＿ａより大きいかを判定する（Ｓ１０１及びＳ１０２）。これにより、ＭＣＵ２４０は、発光素子２０２ａ及び２０２ｂの各々がオープン故障しているか否かを判定する。ここで、Ｖｆ＿ｍａｘ＿ａは、上記電圧Ｖｆ＿ｍａｘ（例えば、発光素子の順方向電圧の最大値）に対応する値である。
【０１１０】
ＭＣＵ２４０は、Ｖ２ａ−Ｖ１ａがＶｆ＿ｍａｘ＿ａより大きい場合（Ｓ１０１でＹｅｓ）、発光素子２０２ｂがオープン故障であると判定し、変数ｎを「２」に設定する（Ｓ１０３）。また、ＭＣＵ２４０は、Ｖ１ａ−Ｖ０ａがＶｆ＿ｍａｘ＿ａより大きい場合（Ｓ１０２でＹｅｓ）、発光素子２０２ａがオープン故障であると判定し、変数ｎを「１」に設定する（Ｓ１０４）。
【０１１１】
ステップＳ１０３又はＳ１０４の後、ＭＣＵ２４０は、停止制御信号ＤＣ／ＤＣ＿ｅｎａｂｌｅをローレベルに設定し（Ｓ１０５）、放電制御信号ＤＩＳＣＨＡＲＧＥをハイレベルに設定する（Ｓ１０６）。これにより、定電流回路２１２が停止し、放電回路２２０がオンする。
【０１１２】
その後、平滑コンデンサ２１３の電圧（Ｖ２−Ｖ０）が下がる。ＭＣＵ２４０は、Ｖ２ａ−Ｖ０ａを算出し、算出結果がＶｆ＿ｍｉｎ＿ａより小さいかを判定する（Ｓ１０７）。ここで、Ｖｆ＿ｍｉｎ＿ａは、上記電圧Ｖｆ＿ｍｉｎ（例えば、正常な発光素子の順方向電圧の和より小さい値）に対応する値である。
【０１１３】
Ｖ２ａ−Ｖ０ａがＶｆ＿ｍｉｎ＿ａより小さい場合（Ｓ１０７でＹｅｓ）、ＭＣＵ２４０は、放電制御信号ＤＩＳＣＨＡＲＧＥをハイレベルに設定することで、放電回路２２０をオフする（Ｓ１０８）。
【０１１４】
次に、ＭＣＵ２４０は、バイパス制御信号Ｂｎ（ここで、ｎはステップＳ１０３又はＳ１０４で設定された値（１又は２）である）をハイレベルに設定することで、バイパス回路２１５ａ又は２１５ｂをオンする（Ｓ１０９）。つまり、ＭＣＵ２４０は、発光素子２０２ａがオープン故障の場合（ｎ＝１）には、バイパス制御信号Ｂ１をハイレベルに設定することによりバイパス回路２１５ａをオンする。また、ＭＣＵ２４０は、発光素子２０２ｂがオープン故障の場合（ｎ＝２）には、バイパス制御信号Ｂ２をハイレベルに設定することによりバイパス回路２１５ｂをオンする。
【０１１５】
次に、ＭＣＵ２４０は、停止制御信号ＤＣ／ＤＣ＿ｅｎａｂｌｅをハイレベルに設定することで、定電流回路２１２を動作させる（Ｓ１１０）。
【０１１６】
以上により、実施の形態２で説明した動作と同様の動作が実現される。
【０１１７】
なお、ＭＣＵ２４０は、実施の形態３と同様に、放電期間が開始してから予め定められた時間が経過した後に放電期間が終了してもよい。図１７Ｂは、この場合のＭＣＵ２４０の動作を示すフローチャートである。図１７Ｂに示す処理は、図１７Ａに示す処理に対して、ステップＳ１０７がステップＳ１０７Ａに置き換えられている点のみが異なる。
【０１１８】
ステップＳ１０６の後、ＭＣＵ２４０は、予め定められた所定時間（放電時間）待機する（Ｓ１０７Ａ）。その後、ＭＣＵ２４０は、ステップＳ１０８以降の処理を行う。
【０１１９】
以上、本発明の実施の形態に係る照明装置及び点灯装置について説明したが、本発明は、この実施の形態に限定されるものではない。
【０１２０】
例えば、上記実施の形態では、一つの発光素子に対して、一つのバイパス回路が設けられる例を述べたが、複数の発光素子に対して、一つのバイパス回路が設けられてもよい。この複数の発光素子は、直列に接続されていてもよいし、並列に接続されていてもよい。また、図１８に示すように、各々が直列に接続された複数の発光素子からなる複数の組が並列に接続されていてもよい。つまり、上記の発光素子は、一つのＬＥＤ素子であってもよいし、直列又は／及び並列に接続された複数のＬＥＤ素子を含んでもよい。また、上記の発光素子は、複数のＬＥＤチップを含むＬＥＤモジュールであってもよいし、複数のＬＥＤモジュールを含んでもよい。
【０１２１】
また、上記実施の形態では、固体発光素子としてＬＥＤが用いられる例を説明したが、固体発光素子として、有機ＥＬ（Ｅｌｅｃｔｒｏ−Ｌｉｍｉｎｅｓｃｅｎｃｅ）素子等が用いられてもよい。
【０１２２】
また、上記説明では、バイパス回路及び放電回路に用いられるスイッチング素子にフォトＭＯＳリレーが用いられる例を述べたが、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、サイリスタ、トライアック、フォトカプラ、パワートランジスタ、ＩＧＢＴ（Ｉｎｓｕｌａｔｅｄ  Ｇａｔｅ  Ｂｉｐｏｌａｒ  Ｔｒａｎｓｉｓｔｏｒ）、リレー、又はバイメタル等が用いられてもよい。
【０１２３】
また、通常状態（発光素子がオープン故障していない状態）と、バイパス回路をオンした後のバイパス状態（発光素子がオープン故障した後の状態）とで、異なる制御が行われてもよい。
【０１２４】
例えば、オープン故障が発生した場合、オープン故障した発光素子は点灯しないので、バイパス状態では、点灯される発光素子の数が通常状態よりも少なくなる。よって、定電流が供給される場合には、明るさが低下する。これに対して、定電流回路２１２は、バイパス状態において通常状態よりも大きい電流を発光素子に供給してもよい。これにより、通常状態とバイパス状態との光出力の差を小さくできる。
【０１２５】
また、定電流回路２１２は、バイパス状態において、発光素子に断続的に電流を供給してもよい。これにより、バイパス状態において、発光素子が点滅するので、使用者は、発光素子の故障又は接続不良により、発光素子が開放状態であることを知ることができる。
【０１２６】
また、上記の定電流回路２１２は、例えば、ＤＣ／ＤＣコンバータである。以下、定電流回路２１２の具体例を説明する。
【０１２７】
図１９は、定電流回路２１２の具体例を示す図である。図１９に示す定電流回路２１２は、降圧型ＤＣ／ＤＣコンバータであり、スイッチング素子ＳＷ１と、インダクタＬ１と、ダイオードＤＩ１と、抵抗Ｒｓ１と、制御部２５０と、平滑コンデンサ２１３とを備える。なお、ここでは、平滑コンデンサ２１３が、定電流回路２１２に含まれている例を示しているが、図３等に示すように、平滑コンデンサ２１３は、定電流回路２１２の外部に設けられていてもよい。
【０１２８】
スイッチング素子ＳＷ１は、直流電源２１１と直列接続されて、制御部２５０によってオンオフ制御される素子である。
【０１２９】
インダクタＬ１は、スイッチング素子ＳＷ１と直列に接続され、スイッチング素子ＳＷ１がオン状態のときに直流電源２１１から電流が流れる素子である。
【０１３０】
ダイオードＤＩ１は、インダクタＬ１から放出される電流を発光素子２０２ａ及び２０２ｂに供給するための素子である。
【０１３１】
抵抗Ｒｓ１は、スイッチング素子ＳＷ１（発光素子２０２ａ及び２０２ｂ）に流れる電流に対応する電圧Ｒｓ・ｉを生成するための素子である。
【０１３２】
制御部２５０は、インダクタＬ１の補助巻線から出力される信号ＺＣＤと、電圧Ｒｓ・ｉとに応じて、スイッチング素子ＳＷ１のオンオフを制御する信号ＧＤを生成する。ここで、信号ＺＣＤ１は、インダクタＬ１に流れる電流の時間微分に比例し、インダクタＬ１に流れる電流がゼロになったことを検出するために用いられる。
【０１３３】
図２０は、制御部２５０の構成例を示す図である。定電流回路２１２の始動時には、スタータＳ１がスタートパルス信号を発生することで、フリップフロップＦＦ４のＱ出力（信号ＧＤ）がハイレベルになる。これにより、スイッチング素子ＳＷ１がオンする。
【０１３４】
スイッチング素子ＳＷ１がオン状態になること、直流電源２１１から、スイッチング素子ＳＷ１、インダクタＬ１、発光素子２０２ａ、及び発光素子２０２ｂに電流が流れる。この電流は時間と共に上昇する。この電流がピーク電流値に達すると、比較器ＣＯＭ１の出力信号がハイレベルになることで、フリップフロップＦＦ４のＱ出力（信号ＧＤ）がローレベルになる。これにより、スイッチング素子ＳＷ１がオフする。
【０１３５】
スイッチング素子ＳＷ１がオフすると、ダイオードＤＩ１は導通状態になり、インダクタＬ１及びダイオードＤＩ１に電流が流れる。この電流はピーク電流値から時間と共に下降する。インダクタＬ１に流れる電流がゼロになると、信号ＺＣＤは、ローレベルになる。これにより、フリップフロップＦＦ４のＱ出力（信号ＧＤ）がハイレベルになることで、スイッチング素子ＳＷ１が再度オンする。
【０１３６】
以上の動作が繰り返されることにより、定電流回路２１２は、一定の電流を発光素子２０２ａ及び２０２ｂに供給する。
【０１３７】
なお、ここでは、定電流回路２１２として、図２１に示す降圧型ＤＣ／ＤＣコンバータ、図２２に示すフライバック型ＤＣ／ＤＣコンバータ、又は、図２３に示す昇降圧型ＤＣ／ＤＣコンバータを用いてもよい。
【０１３８】
このように、定電流回路２１２は、ＤＣ／ＤＣコンバータであり、スイッチング素子ＳＷ１（又は、ＳＷ２、ＳＷ３或いはＳＷ４）と、スイッチング素子ＳＷ１がオンされているときに直流電源２１１からの電流が流れるインダクタＬ１（又は、Ｌ２、Ｌ３或いはＬ４）と、インダクタＬ１から放出される電流を複数の発光素子２０２ａ及び２０２ｂに供給するためのダイオードＤＩ１（又はＤＩ２、ＤＩ３或いはＤＩ４）と、スイッチング素子ＳＷ１のオンオフを制御する制御部２５０とを備えてもよい。
【０１３９】
以下、上記実施の形態で説明した照明装置２００の適用例を説明する。
【０１４０】
図２４Ａ〜図２４Ｃは、上記実施の形態で説明した照明装置２００の外観図である。
【０１４１】
図２４Ａは、照明装置２００をダウンライトに適用した例を示し、図２４Ｂ及び図２４Ｃは、照明装置２００をスポットライトに適用した例を示す。
【０１４２】
図２４Ａ〜図２４Ｃに示された照明装置２００は、回路ボックス１１及び灯体１２を備え、図２４Ａ及び図２４Ｃに示された照明装置２００は、さらに、配線１３を備える。
【０１４３】
回路ボックス１１には、上記の点灯装置２１０が格納され、灯体１２には、ＬＥＤ（発光素子２０２ａ及び２０２ｂ）が装着される。
【０１４４】
また、配線１３は、回路ボックス１１と灯体１２とを電気的に接続する配線である。
【０１４５】
以上、本発明の実施の形態に係る照明装置及び点灯装置について、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１４６】
また、上記実施の形態に係る照明装置又は点灯装置に含まれる複数の処理部の少なくとも一部は、集積回路であるＬＳＩとして実現されてもよい。これらは個別に１チップ化されてもよいし、一部又は全てを含むように１チップ化されてもよい。
【０１４７】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１４８】
また、上記各実施の形態において、複数の構成要素の一部又は全ては、専用のハードウェアで構成されるか、各構成要素に適したソフトウェアプログラムを実行することによって実現されてもよい。各構成要素は、ＣＰＵまたはプロセッサなどのプログラム実行部が、ハードディスク又は半導体メモリなどの記録媒体に記録されたソフトウェアプログラムを読み出して実行することによって実現されてもよい。
【０１４９】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１５０】
また、上記処理に含まれるステップが実行される順序は、本発明を具体的に説明するために例示するためのものであり、上記以外の順序であってもよい。また、上記ステップの一部が、他のステップと同時（並列）に実行されてもよい。
【０１５１】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【０１５２】
また、上記で用いた数字は、全て本発明を具体的に説明するために例示するものであり、本発明は例示された数字に制限されない。さらに、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。さらに、上で示した論理回路の構成は本発明を具体的に説明するために例示するものであり、異なる構成の論理回路により同等の入出力関係を実現することも可能である。
【符号の説明】
【０１５３】
１１  回路ボックス
１２  灯体
１３  配線
１０１、２１２  定電流回路
１０２、２１３  平滑コンデンサ
１０３ａ、１０３ｂ、２０２ａ、２０２ｂ  発光素子
１０４ａ、１０４ｂ、２１５ａ、２１５ｂ  バイパス回路
２００  照明装置
２０１  商用電源
２１０  点灯装置
２１１  直流電源
２１４ａ、２１４ｂ  検出回路
２１６、２１６Ａ、２１６Ｂ、２１６Ｃ  バイパス制御部
２２０  放電回路
２３０  タイマー
２４０  ＭＣＵ
２４１  分圧抵抗群
２５０  制御部
Ｂ１、Ｂ２  バイパス制御信号
ＣＯＭ０、ＣＯＭ１  比較器
Ｄ１、Ｄ２  ツェナーダイオード
ＤＣ／ＤＣ＿ｅｎａｂｌｅ  停止制御信号
ＤＩ１、ＤＩ２、ＤＩ３、ＤＩ４  ダイオード
ＤＩＳＣＨＡＲＧＥ  放電制御信号
ＦＦ０、ＦＦ１Ａ、ＦＦ１Ｂ、ＦＦ２Ａ、ＦＦ２Ｂ、ＦＦ３Ａ、ＦＦ３Ｂ、ＦＦ４  フリップフロップ
Ｌ１、Ｌ２、Ｌ３、Ｌ４  インダクタ
ＬＥＤ１、ＬＥＤ２  故障検出信号
ＰＣ１、ＰＣ２  フォトカプラ
ＰＭＲ０、ＰＭＲ１、ＰＭＲ２  フォトＭＯＳリレー
Ｒ０、Ｒ１ａ、Ｒ１ｂ、Ｒ２ａ、Ｒ２ｂ、Ｒｓ１、Ｒｓ２、Ｒｓ３、Ｒｓ４  抵抗
Ｓ１  スタータ
ＳＷ１、ＳＷ２、ＳＷ３、ＳＷ４  スイッチング素子
【図１Ａ】
2015118809.tif 000003
【図１Ｂ】
2015118809.tif 000004
【図２】
2015118809.tif 000005
【図３】
2015118809.tif 000006
【図４】
2015118809.tif 000007
【図５】
2015118809.tif 000008
【図６】
2015118809.tif 000009
【図７】
2015118809.tif 000010
【図８】
2015118809.tif 000011
【図９】
2015118809.tif 000012
【図１０】
2015118809.tif 000013
【図１１】
2015118809.tif 000014
【図１２】
2015118809.tif 000015
【図１３】
2015118809.tif 000016
【図１４】
2015118809.tif 000017
【図１５Ａ】
2015118809.tif 000018
【図１５Ｂ】
2015118809.tif 000019
【図１６】
2015118809.tif 000020
【図１７Ａ】
2015118809.tif 000021
【図１７Ｂ】
2015118809.tif 000022
【図１８】
2015118809.tif 000023
【図１９】
2015118809.tif 000024
【図２０】
2015118809.tif 000025
【図２１】
2015118809.tif 000026
【図２２】
2015118809.tif 000027
【図２３】
2015118809.tif 000028
【図２４Ａ】
2015118809.tif 000029
【図２４Ｂ】
2015118809.tif 000030
【図２４Ｃ】
2015118809.tif 000031